(57)【特許請求の範囲】
【請求項１】
携帯端末装置の画像表示部に表示された画像を拡大して表示する画面拡大投影システムであって、
画像を表示する画像表示部を備えた携帯端末装置を保持する保持手段と、
外部入力手段と、
撮像素子を含み、前記保持手段に保持された入力対象の画像表示部に表示された画像を前記撮像素子により光学的に読み取り、かつ前記外部入力手段からの入力に応じて前記撮像素子の撮像速度を可変する読取手段と、
前記読取手段によって読取られた画像情報を出力する出力手段と、
前記出力手段から出力された画像情報を拡大して投影するプロジェクタとを含む携帯端末装置の画面拡大投影システム。
【請求項２】
前記読取手段はさらに、照明部を含み、前記外部入力手段からの入力に応じて明るさを可変する、請求項１に記載の画面拡大表示システム。
【請求項３】
前記読取手段は、前記外部入力手段の入力に応答して、予め設定された複数の撮像速度の中から所望の撮像速度を選択する、請求項１に記載の画面拡大投影システム。
【請求項４】
前記プロジェクタは、前記出力手段から出力された画像情報に基づき前記入力対象の画像表示部に表示された画像をリアルタイムで拡大して投影する請求項１に記載の画面拡大投影システム。
【請求項５】
前記携帯用端末装置の前記画像表示部は液晶表示部を含む請求項１に記載の画面拡大投影システム。
【請求項６】
前記保持手段は、前記入力対象の位置を可変可能である請求項１に記載の画面拡大投影システム。
【請求項７】
前記保持手段は、前記入力対象を保持する締め付け部材を含み、前記締め付け部材により前記入力対象の大きさに応じて前記入力対象を保持可能である請求項１に記載の画面拡大投影システム。
【請求項８】
前記保持手段は、前記入力対象を挿入する挿入部を含み、前記挿入部に挿入された入力対象の前記画像表示部が前記読取手段に隣接する請求項１に記載の画面拡大投影システム。
【請求項９】
前記撮像素子はＣＣＤである請求項１に記載の画面拡大投影システム。
【請求項１０】
前記出力手段は、ＲＧＢ信号を出力する、請求項１に記載の画面拡大投影システム。
【発明の詳細な説明】
【０００１】
【発明の属する技術分野】
本発明は、携帯電話などの携帯端末装置の画像表示部に表示された画像を、プロジェクタを用いて拡大投影する画面拡大投影システムに関する。
【０００２】
【従来の技術】
プロジェクタやＣＲＴモニター等の表示装置は、ＴＶやパーソナルコンピュータに接続され、そこから入力される映像信号についての画像を表示するものである。プロジェクタは、一般に液晶デバイスやＤＭＤ（Ｄｉｇｉｔａｌ  Ｍｉｒｒｏｒ  Ｄｅｖｉｃｅ）をライトバルブとして用い、ここに入射された光を光学的に変調し投射画像を生成している。
【０００３】
一方、携帯用電話機を始めとする小型のポータブル端末装置は、半導体技術や通信技術等の進歩に伴い急速に普及している。一般に携帯用端末装置は、それ自身による各種処理機能に加え、他のコンピュータや携帯端末装置とのデータ通信機能を備えている。携帯用端末装置は、データや命令を入力する入力部と、入力された情報や通信によって送受信された情報を表示する画像表示部とを備えている。画像表示部は、例えばカラー液晶表示パネルを有し、ここに文字、図形等の静止画像あるいは動画像を表示する。
【０００４】
【発明が解決しようとする課題】
携帯端末装置あるいはポータブル端末装置は、その携帯機能を重視する観点から小型化、軽量化される。従って、画像表示部のサイズも装置全体の大きさの制約から当然に限られた大きさとなる。携帯端末装置を個人がその目的のために使用する場合には、特に画像表示部の大きさが問題となることはないが、携帯端末装置を新たに開発しその画像表示部の画像の品位等やを評価するときや、ネットワーク上で配信されるコンテンツが画像表示部にどのように表示されるのか等を評価するとき、複数の評価者が全員で同時に画像表示部の画像を見たいという要求がある。あるいは、携帯端末装置の画像表示部に表示された画像を使用して複数人の前でプレゼンテーションを行いたいという要求もある。
【０００５】
携帯端末装置の画像表示部に表示される画像データをコンピュータで処理して表示装置に拡大画像を表示させることも可能ではあるが、携帯端末装置はその機種毎に画像表示部のサイズや解像度が異なり、あるいは画像データのフォーマットも必ずしも同一ではない場合がある。このため、コンピュータにおいて画像データを処理するには、画像データのサイズやフォーマット等を識別するための専用の回路やソフトウエアを開発しなければならず、時間やコストが必要となる。さらに、携帯端末装置の規格は必ずしも統一されているわけではなく、携帯端末装置が開発されるたびにそれに適合するような回路等を必要とされるとなれば実現性に乏しい。
【０００６】
そこで本発明は上記課題を解決し、簡単かつ安価な手法により携帯端末装置等の画像表示部に表示された画像を表示装置に表示させることが可能な画像入力装置および表示システムを提供することを目的とする。
さらに本発明は、携帯用通信機器等の液晶表示部に表示された画像をプロジェクタ等の表示装置へリアルタイムで直接表示させるための画像入力装置を提供することを目的とする。
【０００７】
【課題を解決するための手段】
本発明に係る表示装置に接続される画像入力装置は、画像を表示する画像表示部を備えた入力対象を保持する保持手段と、前記保持手段に保持された入力対象の画像表示部に表示された画像を光学的に読取る読取手段と、前記読取手段によって読取られた画像情報を出力する出力手段とを有する。
【０００８】
好ましくは、前記入力対象は携帯端末装置であり、例えば、携帯用通信装置、電子手帳、ポータブル入力端末装置などであっても良い。画像表示部は好ましくは液晶パネルを含み、該液晶パネル上に文字、図形等の静止画や動画を表示する。
【０００９】
好ましくは保持手段は、前記入力対象の位置を可変可能であり、入力対象の位置を可変させることでその画像表示部に表示された画像入力を適切に調整することができる。前記保持手段は、前記入力対象を保持するバンドを用いることができ、例えばマジックバンド（適宜自在な位置での締め付けを可能とする）により種々の大きさ・形状を有する端末装置を保持し、その画像表示部の位置決めを適切に行うようにする。あるいは、画像入力装置に保持手段として入力対象を挿入する挿入部を含んでも良い。大きさや形状の異なる端末装置を挿入部に適切に挿入させるため、挿入部を弾性のある部材（例えばゴム部材）を用いて構成してもよい。
【００１０】
好ましくは前記読取手段は、前記入力対象の少なくとも画像表示部を照射する照射部と、前記照射部によって照射された入力対象の画像表示部に表示された画像を撮像する撮像部とを備える。照射部は、光源と光源からの光を画像表示部に向けて反射させる光学部材を含むものでも良く、また照射部からの光の明るさを調整するための絞り機能を含むものであっても良い。携帯端末装置の画像表示部は、機種ごとに明るさが異なるため、読取りに適した明るさを提供するようにする。例えば、画像表示部に液晶パネルが用いられ、そのバックライトの明るさが明るい場合、通常の絞りでもって画像を撮像すると、読取られた画像を表示するとハレーションを生じさせので、照射部の照射光を絞りことが望ましい。その反対に、バックライトの明るさが暗い場合には絞りを大きくして画像表示部を明るく照射することが望ましい。絞りの調整は、画像入力装置からの操作者の入力によって行うことができ、操作者は表示装置に表示された画像を見ながら調整をさせることができる。
【００１１】
撮像部は、ＣＣＤアレイやリニアＣＣＤを用いて画像信号の読み取りを行うことができる。好ましくは、カラー撮像用のＣＣＤを用いるが、これとは別にカラーフィルターとＣＣＤとを組み合わせたものや、ダイクロイックプリズムとＣＣＤを組み合わせたものであっても良い。撮像部は、画像を光学的に読取り、その電気信号を生成する。電気信号は、Ｒ、Ｇ、Ｂ、に色分解されたＲＧＢ信号であることが望ましい。さらにＣＣＤの読取り速度あるいは電荷の転送速度を可変することも可能である。例えば、ＣＣＤの電荷転送を行う駆動信号のクロック信号あるいはパルス信号の周波数を可変することにより行われる。周波数を可変することで、携帯端末装置の画像表示部のリフレッシュレートに起因する表示装置の映像のフリッカーの発生を抑制することができる。
【００１２】
好ましくは、前記画像入力装置は、少なくともその一面にガラス部材を配し、前記ガラス部材は前記保持手段と対向し、前記読取手段は前記ガラス部材を介して前記保持手段に保持された入力対象の画像表示部の画像を読取る。前記出力手段は、ＲＧＢ信号を出力する端子を含み、ＲＧＢ出力端子からのアナログ信号を入力した表示装置は、画像表示部に表示された動画や静止画に対応する画像をほぼリアルタイムで表示させる。表示装置は、例えば液晶プロジェクタ、ＤＬＰプロジェクタ、あるいはＣＲＴモニターである。プロジェクタにより適宜の倍率に拡大して表示することが可能である。
【００１３】
本発明に係る表示システムは、表示装置と、前記表示装置に接続される画像入力装置とを有し、前記表示装置が前記画像入力装置によって入力された画像を表示するものである。前記画像入力装置は、画像を表示する画像表示部を備えた入力対象を保持する保持手段と、前記保持手段に保持された入力対象の画像表示部に表示された画像を光学的に読取る読取手段と、前記読取手段によって読取られた画像情報を前記表示装置へ出力する出力手段とを有する。
【００１４】
好ましくは前記入力対象は携帯端末装置であり、前記画像表示部に表示された画像が前記読取手段によって読取られ前記表示装置によって表示される。表示装置は、前記画像表示部の画像を拡大表示するプロジェクタであることが望ましく、前記画像表示部は、液晶表示パネルあるいはプラズマデイスプレイであっても良い。
【００１５】
本発明に係る画像入力装置によれば、携帯端末装置等の画像表示部に表示された画像を光学的に読取り入力し、この画像情報あるいは画像信号を表示装置へ出力させるようにしたので、簡易な構成で携帯端末装置の画像表示部に表示された画像をプロジェクタ等により拡大表示させることができる。また、光学的に画像を読取るため、携帯端末装置の機種の差異（ハードウエアおよびソフトウエア上の相違）や、画像表示部のサイズや解像度の相違があってもそれらに応じて適切に画像を撮像することができる。
【００１６】
【発明の実施の形態】
次に本発明の実施の形態について説明する。図１は、本発明の実施の形態に係る画像入力装置の構成を示すブロック図であり、図２は画像読取部１１の内部構成を示す図である。画像入力装置１０は、携帯電話機等の携帯端末装置２０の画像表示部２１に表示された画像を入力し、この画像情報をプロジェクタ等の表示装置３０へ出力する。
【００１７】
画像入力装置１０は、入力対象あるいは読取対象である画像表示部２１に表示された画像を読取る画像読取部１１と、画像読取部１１によって読取られた画像信号であるＲＧＢアナログ信号を表示装置３０へ出力する画像出力部１２と、上記各部を制御する制御部１３と、画像入力装置１０に対する各種の設定情報を入力するための入力部１４とを有している。
【００１８】
画像読取部１１の構成を図２に示す。同図(ａ)に示す画像読取部１１は照明部４１と撮像部４２とを含む。照明部４３は、例えば白色光を発するランプとランプからの光を反射させてこれを読取対象４３上の二次元的な領域を照射させる光学部材（例えばミラー）とを含むことができる。照射部４１は絞りを有し、ランプから読取対象４３上への照射光量を調整し、読取対象４３の明るさを調整する。照射部４１の絞りに代えて、ランプの出力を調整するようにしても良い。あるいは、絞りとランプ出力の双方を調整して照明光の光量を可変にしても良い。
【００１９】
撮像部４２は、照射部４１によって照射された読取対象４３からの反射光を入力し、読取対象４３上の画像の読取を行う。撮像部４２は、カラーＣＣＤを用いることが望ましく、この場合にはＣＣＤから読取られた画像に対応するＲ、Ｇ、Ｂの電気信号が出力される。但し、これ以外にも、Ｒ、Ｇ、ＢのカラーフィルターとＣＣＤとを組み合わせたものや、ダイクロイックプリズムとＣＣＤとを組み合わせたものを用いても良く、ＣＣＤも２次元的に素子を配列したアレイＣＣＤや、線形に素子を配列したリニアＣＣＤを用いることができる。さらに、ＣＣＤにロッドレンズアレイを用いて読取対象４３との距離を小さくあるいは密着させるようにしても良い。ロッドレンズアレイ以外のミラーやレンズを用いることも可能である。ＣＣＤの画素数は、読取対象４３の領域や読取解像度に合わせて適宜選択される。
【００２０】
照射部４１には制御部１４からの制御信号４４が入力され、制御信号４４は例えば上述した絞りの調整あるいはランプの出力調整を指示する。同様に、撮像部４２には制御部１４からの制御信号４５が入力され、制御信号４５により撮像部４２の撮像速度の制御が行われる。例えば撮像部４２がＣＣＤを用いた場合には、ＣＣＤの電荷転送を行う駆動パルス信号の周波数を可変することができる。
【００２１】
画像読取部１１によって読取られたＲ、Ｇ、Ｂの電気信号は画像出力部１２へ供給される。画像出力部１２は、Ｒ、Ｇ、Ｂの電気信号を出力するための駆動バッファ回路と該回路に接続された出力端子を有する。出力端子から出力されたＲ、Ｇ、Ｂ信号は、プロジェクタ等の表示装置３０の画像入力端子に入力される。
【００２２】
画像読取部１１は、図２（ｂ）に示すように照明部４１を持たない構成も可能である。この場合、自然光や携帯端末装置の画像表示部の光（例えば、液晶表示部である場合には、そのバックライト）を照明に利用する。撮像部４２は、ＣＣＤ素子を有し、読取対象からの光がＣＣＤ素子上に結像するようにレンズ４２ａを有する。レンズ４２ａの下方には、読取対象からの光を透過する透明領域４２ｂが形成される。透明領域４２ｂを形成する部材として、例えば、ガラス板やプラスチック板を用いることができる。透明領域４２ｂの下方に携帯端末装置２０の画像表示部２１がほぼ密着される状態で位置決め固定される。この場合、画像表示部２１からの照明光が弱い場合には、携帯端末装置の入力部を操作して画像表示部２１の照明光（例えばバックライト）を明るくするようにしても良い。
【００２３】
入力部１４は、照射部４１及び撮像部４２の動作を外部から制御するための設定情報を入力する。入力部１４は、例えば、各設定情報を記憶するレジスタや設定情報に対応して出力が切り替わるスイッチ素子であっても良い。
【００２４】
入力部１４からの設定は、表示装置３０が読取対象から読取った画像を表示しているのを見ながら行うのが望ましい。例えば、表示装置３０によって表示された携帯端末装置２０の画像表示部２１の画像が非常に暗い場合には、入力部１４から照射部４１の絞りを調整しランプからの光量を増加させるようにする。その反対に、表示装置３０に表示された画像が非常に明るくハレーションを起こしている場合には、入力部１４から照射部４１の絞りを閉じるようにする。入力部１４からこのような設定が成されると、制御部１３が照射部４１に対して制御信号４４を出力する。
【００２５】
同様に、表示装置３０に表示された画像にフリッカー等が見られる場合には、入力部１４から撮像部４２の読取速度を変更し、携帯端末装置２０の画像表示部２１との干渉を抑制するようにすることもできる。
【００２６】
次に本発明の第２の実施の形態に係る画像入力装置について説明する。図３は画像入力装置を上方から見た斜視図、図４は画像入力装置を下方から見た斜視図である。画像入力装置５０は、本体５１と、本体底部に設けられた携帯端末装置保持部５７とを有する。本体５１の側面には、電源スイッチ５２と、照射部のランプの明るさを調整する回転ツマミ５３とが設けられる。本体５１の頂部には、プッシュスイッチ５４が設けられ、このスイッチを押下することにより内部の撮像素子の撮像速度を可変する。本体５１の底部には、ＲＧＢ出力端子５５、電源端子５６、携帯端末装置の画像表示部２１が対向して密着される読取ガラス面５８とが設けられる。
【００２７】
本体５１内部には、画像入力ための処理を行う回路部が設けられ、この回路部は図１に示す構成を包含する。回転ツマミ５３およびプッシュスイッチ５４は、入力部１４として機能し、ここで設定された入力情報は制御部１３に伝達される。
制御部１３は、回転ツマミ５３の位置に応じて制御信号４４を出力し、照射部４１の絞りを調整して読取ガラス面５８上の明るさを変える。
【００２８】
プッシュスイッチ５４は、それを押下することで複数段階の読取速度を設定することが可能である。撮像部４２にＣＣＤを使用している場合には、その電荷転送の駆動パルスの周波数を変えることで読取速度を変更する。この読取速度は、物理的なシャッタースピードの概念に対応する。プッシュスイッチ５４のスイッチが押下されると、その入力情報が制御部１３へ送られ、制御部１３は制御信号４５により撮像部４２の読取動作を制御する。表示装置３０のモニターの映像にフリッカーが出たとき、このスイッチ５４を押下することによってフリッカーを抑制することが可能であれる。なお、本実施例では、５段階の読取レートを用意しているが、これ以外であってもよい。
【００２９】
ＲＧＢ出力端子５５は、画像出力部１２に接続され、ここからＲＧＢ信号を出力する。ＲＧＢ出力端子５５に接続されたインターフェースケーブルを介してＲＧＢ信号が表示装置３０へ供給される。
【００３０】
保持部５７は、読取ガラス面５８と対向する位置に空間５７ｂを形成する保持バンド５７ａを含む。保持バンド５７ａの両端は、読取ガラス面５８と保持バンド５７ａ間の空間５７ｂに携帯端末装置２０が挿入できるように、本体底部に固定される。保持バンド５７ａの裏面側には、締め付け用のマジックバンド５７ｃが設けられる。マジックバンド５７ｃの一端は本体５１の底部に固定され、他端部を保持バンド５７ａの裏面の適当な位置に結合させることができる。保持バンド５７ａの空間５７ｂ内に挿入された携帯端末装置２０は、マジックバンド５７ｃによって締め付けられ、画像表示部２１が読取ガラス面５８に密着するように位置決めされて保持される。
【００３１】
本体５１内の読取ガラス面５８に隣接する位置に画像読取部１１が設けられる。画像読取部１１の照射部４１からの照射光は、読取ガラス面５８を介して画像表示部２１上を照射する。画像表示部２１には、携帯端末装置２０の入力端子から入力された文字、図形等の情報、インターネット等の通信を介して他の携帯端末装置やコンピュータ装置から受信された情報、あるいはその他の情報を含む画像（静止画、動画）が表示される。これらの画像は、撮像部４２によって光学的に撮像されてＲＧＢ電気信号に変換され、この信号が画像出力部１２からＲＧＢ出力端子５５から出力される。
【００３２】
表示装置３０は、例えば図７（ａ）に示すようなプロジェクタ７１や同図（ｂ）に示すようなＣＲＴモニター７２を含む。表示装置３０は、ＲＧＢ信号を受け取り、携帯端末装置２０の画像表示部２１に表示された静止画あるいは動画をほぼリアルタイム表示する。プロジェクタ７１により表示する場合には、その投射レンズの倍率を可変することで所望の大きさの画像を表示することができる。
【００３３】
携帯端末装置２０は、機種ごとに形状や大きさが異なるが、保持バンド５７ａ及びマジックバンド５７ｃを用いることにより異なる形状の携帯端末装置２０を保持することができる。また、画像表示部２１の大きさも携帯端末装置２０の機種によって異なるが、読取ガラス面５８のサイズを予め大きくしておくことが望ましい。
【００３４】
図５及び図６は、画像入力装置を携帯電話機に適用した例を示す図である。携帯電話機６０は、液晶表示部６１と、各種の入力キーを配列させた入力部６２を有する。画像入力装置５０のマジックバンド５７ｃを保持バンド５７ａから剥がた状態で、液晶表示部６１の表示面が読取ガラス面５８に密着するように、液晶表示部６１が保持バンド５７ａによって形成された空間５７ｂ内に挿入される。
【００３５】
次いで、図６に示すようにマジックバンド５７ｃにより携帯電話機６０を一定強度でもって締め付けるようにし、これを保持バンド５７ａの裏面に取り付ける。画像入力装置５０の電源スイッチ５２を投下すると、画像読取部１１の読み取りあるいは撮像が開始される。画像出力部１２からＲＧＢ信号が出力され、液晶表示部６１に表示された静止画あるいは動画に対応する画像がリアルタイムで表示装置３０により表示される。画像読取部１１は、電源スイッチ５２がオフされるまで画像表示部６１の画像を撮像し続行し、その期間中、画像出力部あるいはＲＧＢ出力端子５５から撮像された画像に対応する電気信号が出力される。
【００３６】
ユーザーは、表示装置３０によって表示された画像をチェックすることができる。例えば、表示装置によって表示された画像の明るさ、フリッカーの有無、および読取されている液晶表示部の位置を確認し、必要があれば、回転ツマミ５３やプッシュボタン５４により設定情報を変更するように入力し、明るさや読取速度を可変する。また、画像表示部６１の位置がずれている場合には、マジックバンド５７ｃを緩めて、携帯電話機６０の取り付け位置や取付角度を調整することも可能である。
【００３７】
このように画像入力装置を用いて携帯端末装置の画像表示部に表示される画像を光学的に読取り、この画像信号を表示装置へ供給するようにしたので、異なるフォーマット、形状、構造を有する携帯端末装置の小型な画像を簡単に拡大して表示させることができる。さらに、本実施の形態に係る画像入力装置は、光学的に撮像して得られた電気信号を出力するだけで、その内部において電気信号を加工・処理を複雑な信号処理回路等を含んでいないため、回路構成をコンパクトにすることができ、装置本体を小型化することができる。但し、そのような信号処理回路や画像メモリを含むものであっても良いことは勿論言うまでもない。
【００３８】
本発明の好ましい実施の形態について詳述したが、本発明は係る特定の実施形態に限定されるものではなく、特許請求の範囲に記載された本発明の要旨の範囲内において、種々の変形・変更が可能である。例えば、携帯端末装置を保持する保持部５７は、保持バンド５７ａとマジックバンド５７ｃとを用いたが、これ以外にも予め携帯端末装置を挿入することが可能な挿入部を形成することも可能である。その場合、異なる機種の装置に対応することができるように、挿入部の形状が変形可能であることが望ましい。弾性部材を利用したり、変形可能な構成、例えば蛇腹を用いることも可能である。
【００３９】
さらにプッシュボタンや回転ツマミなどの構成もこれ以外の入力スイッチを用いることが可能である。さらに、画像入力装置は、内部に画像メモリを備えるものではないが、必要であれば、画像読取部１１によって読取られた画像信号をＡＤ変換し、これを画像メモリに記憶させるようにすることも可能である。、
【００４０】
表示装置として用いるプロジェクタは、ＤＭＤを用いたＤＬＰ方式のプロジェクタあるいは液晶デバイスを用いた液晶プロジェクタを用いることも可能である。
さらに、画像入力装置の出力信号はケーブルを介して表示装置に供給するようにしたが、画像入力装置を表示装置に直接接続するようにすることも可能である。例えば、ＲＧＢ出力端子を表示装置のＲＧＢ入力端子に接続できるように、表示装置３０と画像入力装置５０とを接続できるようにし、あるいは両者を実質的に一体となるような表示システムを構成してもよい。
【００４１】
【発明の効果】
本発明によれば、携帯端末装置の画像表示部に表示された画像を光学的に読取る画像入力装置を設けたので、携帯端末装置の画像表示部の画像に対応する拡大画像を表示装置に拡大して表示させることができる。携帯端末装置の機種が異なると、端末装置の形状や大きさが異なり、さらには画像表示部の大きさや明るさも異なるが、画像表示部の画像を光学的に読取りその電気画像信号を得るため、携帯端末装置間の構成の差異に影響を受けることなく容易に表示装置に拡大画像を表示させることができる。
【図面の簡単な説明】
【図１】本発明実施の形態に係る画像入力装置の構成を示すブロック図である。
【図２】画像読取部の構成を示す図である。
【図３】第２の実施の形態に係る画像入力装置の上方から見た斜視図である。
【図４】第２の実施の形態に係る画像入力装置の下方から見た斜視図である。
【図５】画像入力装置に携帯電話機を適用した状態を示す図である。
【図６】携帯電話機を画像入力装置に取り付けた状態を示す図である。
【図７】図７（ａ）はプロジェクタの概観を示す斜視図、同図（ｂ）はモニターの外観を示す斜視図である。
【符号の説明】
１０：画像入力装置、          １１：画像読取部、
１２：画像出力部、            ２０：携帯端末装置、
２１：画像表示部、            ３０：表示装置、
４１：照射部、                ４２：撮像部、
５０：画像入力装置、          ５７：保持部、
５７ａ：保持バンド、          ５７ｃ：マジックバンド、
６０：携帯電話機、            ７１：プロジェクタ
【図１】
0003896033.tif 000002
【図２】
0003896033.tif 000003
【図３】
0003896033.tif 000004
【図４】
0003896033.tif 000005
【図５】
0003896033.tif 000006
【図６】
0003896033.tif 000007
【図７】
0003896033.tif 000008